(57)【要約】      （修正有）【課題】金型の床面積が小さく、装置全体を小型できるとともに、樹脂材料の使用効率が高い樹脂封止装置を提供する。【解決手段】基板９０の電子部品のうち、少なくとも先頭に位置する電子部品を上，下金型チェスの上型，下型キャビティ４１，６１内に充填した樹脂材料で封止する。ついで、上，下金型チェスを開いて基板９０を所定の間隔だけずらし、再度、上，下金型チェスで基板９０を挟持し、電子部品と異なる少なくとも２番目の電子部品を上型，下型キャビティ４１，６１内に充填した樹脂材料で樹脂封止する。【選択図】図１７
2011018745.tif 000002
【特許請求の範囲】
【請求項１】
複数個の電子部品を所定の間隔で実装した基板を供給する基板供給装置と、
前記基板を上，下金型で挟持し、前記基板で覆われる位置に設けたポットからランナーを介してキャビティに充填した樹脂材料で前記電子部品を樹脂封止する金型装置と、
前記基板供給装置から受け取った前記基板を前記金型装置に搬送する基板搬送装置と、からなる樹脂封止装置であって、
前記基板の電子部品のうち、少なくとも先頭に位置する電子部品を前記金型のキャビティ内に充填した樹脂材料で封止し、ついで、前記上，下金型を開いて前記基板を所定の間隔だけずらし、再度、前記上，下金型で前記基板を挟持し、前記電子部品と異なる少なくとも２番目の電子部品を前記キャビティ内に充填した樹脂材料で樹脂封止することを特徴とする樹脂封止装置。
【請求項２】
基板に、偶数個で１組の電子部品を所定の間隔ずらして複数組、実装したことを特徴とする請求項１に記載の樹脂封止装置。
【請求項３】
偶数個で１組のキャビティを設けた金型に、隣り合うキャビティの間にスリット状ポットを設けるとともに、前記ポットから前記キャビティに樹脂材料を充填するためのランナーを設けたことを特徴とする請求項１または２に記載の樹脂封止装置。
【請求項４】
基板の表裏面に電子部品を実装したことを特徴とする請求項１ないし３のいずれか１項に記載の樹脂封止装置。
【請求項５】
基板を、基板搬送装置に支持されたままの状態で上，下金型で挟持することを特徴とする請求項１ないし４のいずれか１項に記載の樹脂封止装置。
【請求項６】
上，下金型の間に進出，後退し、かつ、前記上，下金型の対向面をクリーニングするクリーニング装置を設けたことを特徴とする請求項１ないし５のいずれか１項に記載の樹脂封止装置。
【請求項７】
基板搬送装置およびクリーニング装置が、上，下金型の間に相互に直交する水平方向から進出，退出することを特徴とする請求項６のいずれか１項に記載の樹脂封止装置。
【請求項８】
複数個の電子部品を所定の間隔で実装した基板を基板供給装置から供給し、
前記基板供給装置から受け取った前記基板を基板搬送装置で金型装置に搬送した後、
前記基板を前記金型装置の上，下金型で挟持するとともに、前記基板で覆われる位置に設けた前記金型装置のポットからランナーを介してキャビティに充填した樹脂材料で前記電子部品を樹脂封止する樹脂封止方法であって、
前記基板の電子部品のうち、少なくとも先頭に位置する電子部品を前記金型のキャビティ内に充填した樹脂材料で封止し、ついで、前記上，下金型を開いて前記基板を所定の間隔だけずらし、再度、前記上，下金型で前記基板を挟持し、前記電子部品と異なる少なくとも２番目の電子部品を前記キャビティ内に充填した樹脂材料で樹脂封止することを特徴とする樹脂封止方法。
【発明の詳細な説明】
【技術分野】
【０００１】
基板に実装した半導体素子等の電子部品を樹脂材料で封止する樹脂封止装置および樹脂封止方法に関する。
【背景技術】
【０００２】
従来、樹脂封止装置としては、例えば、短冊状リードフレームやマトリックス型リードフレームを、上型および下型からなる樹脂成形用金型間に供給し、そのリードフレーム上に装着された電子部品のうち、一部の電子部品を金型キャビティ部に順次に供給し、樹脂封止する樹脂封止装置がある（特許文献１参照）。
【先行技術文献】
【特許文献】
【０００３】
【特許文献１】特開２０００−１９５８８４号公報
【発明の概要】
【発明が解決しようとする課題】
【０００４】
しかしながら、前述の樹脂封止装置では、下型２のポット３がリードフレーム１０で覆われない位置に設けてあるので、ポット３からキャビティ４〜５ｄにゲート９を設ける必要がある。特に、キャビティの個数が多くなればなる程、距離の長いゲートの本数が多くなる。このため、金型の床面積が大きくなり、装置全体が大型化するだけでなく、不要樹脂が増大し、樹脂の使用効率が低下するという問題点がある。
【０００５】
本発明に係る樹脂封止装置は、金型の床面積が小さく、装置全体を小型化できるだけでなく、樹脂材料の使用効率が高い樹脂封止装置を提供することを課題とする。
【課題を解決するための手段】
【０００６】
本発明に係る樹脂封止装置は、前述の課題を解決すべく、複数個の電子部品を所定の間隔で実装した基板を供給する基板供給装置と、前記基板を上，下金型で挟持し、前記基板で覆われる位置に設けたポットからランナーを介してキャビティに充填した樹脂材料で前記電子部品を樹脂封止する金型装置と、前記基板供給装置から受け取った前記基板を前記金型装置に搬送する基板搬送装置と、からなる樹脂封止装置であって、前記基板の電子部品のうち、少なくとも先頭に位置する電子部品を前記金型のキャビティ内に充填した樹脂材料で封止し、ついで、前記上，下金型を開いて前記基板を所定の間隔だけずらし、再度、前記上，下金型で前記基板を挟持し、前記電子部品と異なる少なくとも２番目の電子部品を前記キャビティ内に充填した樹脂材料で樹脂封止する構成としてある。
【発明の効果】
【０００７】
本発明によれば、キャビティの間に配置したポットがランナーを介して前記キャビティに連通している。このため、前記ランナーの長さが最小限となり、床面積の小さい金型が得られ、装置全体を小型化できるだけでなく、不要樹脂が最小限となり、樹脂材料の使用効率が高い樹脂封止装置が得られる。
【０００８】
本発明の実施形態としては、基板に、偶数個で１組の電子部品を所定の間隔ずらして複数組、実装しておいてもよい。
本実施形態によれば、電子部品を偶数個ずつ、一度に樹脂封止できるので、生産効率の高い樹脂封止装置が得られる。
【０００９】
本発明の他の実施形態としては、偶数個で１組のキャビティを設けた金型に、隣り合うキャビティの間にスリット状ポットを設けるとともに、前記ポットから前記キャビティに樹脂材料を充填するためのランナーを設けてもよい。
本実施形態によれば、スリット状ポットを設けてあるので、金型の床面積を小さくでき、装置全体をより一層小型化できる。
【００１０】
本発明の別の実施形態としては、基板の表裏面に電子部品を実装してもよい。
本実施形態によれば、電子部品の実装密度が高い基板を樹脂封止できる樹脂封止装置が得られる。
【００１１】
本発明の異なる実施形態としては、基板を、基板搬送装置に支持されたままの状態で上，下金型で挟持してもよい。
本実施形態によれば、上，下金型の間に進出した基板搬送装置を、成形前に退出させる必要がないとともに、成形後に再度、進出させる必要がないので、樹脂成形サイクルが短くなり、生産効率がより一層向上する。
【００１２】
本発明の新たな実施形態としては、上，下金型の間に進出，後退し、かつ、前記上，下金型の対向面をクリーニングするクリーニング装置を設けておいてもよい。
本実施形態によれば、１回の成形毎にクリーニング装置で上，下金型の対向面をクリーニングし、樹脂屑等を除去することにより、歩留まりが向上する。
【００１３】
本発明の別の実施形態としては、基板搬送装置およびクリーニング装置が、上，下金型の間に相互に直交する水平方向から進出，退出するようにしてもよい。
本実施形態によれば、装置床面の使用効率が向上し、床面積のより一層小さい樹脂封止装置が得られる。
【００１４】
本発明に係る樹脂封止方法としては、複数個の電子部品を所定の間隔で実装した基板を基板供給装置から供給し、前記基板供給装置から受け取った前記基板を基板搬送装置で金型装置に搬送した後、前記基板を前記金型装置の上，下金型で挟持するとともに、前記基板で覆われる位置に設けた前記金型装置のポットからランナーを介してキャビティに充填した樹脂材料で前記電子部品を樹脂封止する樹脂封止方法であって、前記基板の電子部品のうち、少なくとも先頭に位置する電子部品を前記金型のキャビティ内に充填した樹脂材料で封止し、ついで、前記上，下金型を開いて前記基板を所定の間隔だけずらし、再度、前記上，下金型で前記基板を挟持し、前記電子部品と異なる少なくとも２番目の電子部品を前記キャビティ内に充填した樹脂材料で樹脂封止する工程としてある。
【００１５】
本発明によれば、キャビティの間に配置したポットがランナーを介して前記キャビティに連通している。このため、前記ランナーの距離が最小限となり、床面積の小さい金型が得られ、装置全体を小型化できるだけでなく、不要樹脂が最小限となり、樹脂材料の使用効率が高い樹脂封止方法を得られるという効果がある。
【図面の簡単な説明】
【００１６】
【図１】本発明に係る樹脂封止装置の実施形態を示す平面図である。
【図２】図１で示したII-II線断面図である。
【図３】図２で示した矢印IIIの方向から視た側面図である。
【図４】図２で示したIV-IV線断面図である。
【図５】図２で示したＶ-Ｖ線部分拡大断面図である。
【図６】図５に続く製造工程を説明するためのＶ-Ｖ線部分拡大断面図である。
【図７】図６に続く製造工程を説明するためのＶ-Ｖ線部分拡大断面図である。
【図８】図７に続く製造工程を説明するためのＶ-Ｖ線部分拡大断面図である。
【図９】図８に続く製造工程を説明するためのＶ-Ｖ線部分拡大断面図である。
【図１０】図９に続く製造工程を説明するためのＶ-Ｖ線部分拡大断面図である。
【図１１】図１０に続く製造工程を説明するためのＶ-Ｖ線部分拡大断面図である。
【図１２】図１１に続く製造工程を説明するためのＶ-Ｖ線部分拡大断面図である。
【図１３】図１２に続く製造工程を説明するためのＶ-Ｖ線部分拡大断面図である。
【図１４】図１３に続く製造工程を説明するためのＶ-Ｖ線部分拡大断面図である。
【図１５】図１４に続く製造工程を説明するためのＶ-Ｖ線部分拡大断面図である。
【図１６】図１５に続く製造工程を説明するためのＶ-Ｖ線部分拡大断面図である。
【図１７】図１６に続く製造工程を説明するためのＶ-Ｖ線部分拡大断面図である。
【図１８】図１７に続く製造工程を説明するためのＶ-Ｖ線部分拡大断面図である。
【図１９】図１０で示したＶ-Ｖ線部分拡大断面図の部分拡大図である。
【図２０】本発明に係る樹脂封止装置の要部分解斜視図である。
【図２１】本発明に係る樹脂封止装置を側方から視た要部部分側面図である。
【図２２】本発明に係る樹脂封止装置によって樹脂封止される基板を裏面から視た斜視図である。
【図２３】本発明に係る樹脂封止装置によって樹脂封止される基板を表面から視た斜視図である。
【発明を実施するための形態】
【００１７】
本発明に係る樹脂封止装置は、大略、図１に示すように、メインベース１０の中央に配置した金型装置２０の上流側に、基板供給装置８０および樹脂材料供給装置１２０を並設する一方、その下流側に成形品仮置き装置１４０，ディゲート装置１５０、および、成形品収納装置１６０を１列に配置してある。
また、前記基板供給装置８０と前記金型装置２０との間には基板搬送装置１００が往復移動可能に配置されている。さらに、前記樹脂材料供給装置１２０と前記金型装置２０との間には樹脂材料搬送装置１３０が往復移動可能に配置されている。
そして、前記成形品仮置き装置１４０および成形品収納装置１６０に沿って第２ガイドユニット１７０を並設してある。前記第２ガイドユニット１７０は、基板９０を樹脂封止して得た成形品９６を前記基板搬送装置１００から引き出し、前記成形品仮置き装置１４０，ディゲート装置１５０および前記成形品収納装置１６０に順次搬送する。
【００１８】
前記金型装置２０は、図３に示すように、前記メインベース１０の上面中央に立設した一対のサイドベース２１，２１の上端部間に、上金型ベース２２を架け渡してある。前記上金型ベース２２の中央部から吊り下げた上金型ダイセット２３の下面には上金型チェス３０を設置してある。そして、前記上金型ダイセット２３および上金型チェス３０は駆動モータ２４を介して上下に往復移動可能に支持されている。
【００１９】
前記上金型チェス３０は、図５に示すように、前記上金型ダイセット２３の下面両側縁部に設けたサイドプレート３１，３１の間に、第１，第２上金型エジェクタプレート３２，３３および上金型キャビティプレート４０を順次配置してある。特に、前記第１，第２上金型エジェクタプレート３２，３３は一体化され、常時、一体に上下動する。また、前記上金型キャビティプレート４０の下面表面には複数の上型キャビティ４１が形成されている。
そして、上金型ダイセット２３と第１上金型エジェクタプレート３２との間には第１コイルバネ３４が配置されている。一方、上金型キャビティプレート４０の上面に固定された上金型サポートピン３５は、その上端部を第１，第２上金型エジェクタプレート３２，３３に挿通され、上金型ダイセット２３の下面近傍まで延在している。前記上金型サポートピン３５は、型締め圧力を受圧し、かつ、撓みを防止する円柱形状であり、前記上型キャビティ４１の周辺にバランス良く配置されている。
さらに、第１，第２上金型エジェクタプレート３２，３３の間には第２コイルバネ３６が配置され、上金型リターンピン３７を下方側に付勢している。このため、上金型リターンピン３７が押し込まれると、第２コイルバネ３６が圧縮され、前記上金型リターンピン３７が上昇し、上金型リターンピン３７の上面と第１エジェクタプレート３２の下面が当接した後、第１上金型エジェクタプレート３２が押し上げられる。この結果、第１，第２エジェクタプレート３２，３３が一体に押し上げられ、上金型エジェクタピン３８が引き上げられる。
【００２０】
なお、図５に示す状態では、上金型キャビティプレート４０の上面と第２上金型エジェクタプレート３３の下面との間に一定の距離を保つように、前記上金型キャビティプレート４０の上面には図示しないストッパが設けられている。また、サイドプレート３１と上金型チェス３０との接合面間に図示しない脱落防止構造を設けてある。
【００２１】
前記金型装置２０は、図２に示すように、前記メインベース１０の上面のうち、前記上金型チェス３０の下方側に位置するように、下金型ベース２５、下金型ダイセット２６、および、下金型チェス５０を順次、積み重ねてある。前記下金型チェス５０は、図５に示すように、前記下金型ダイセット２６の上面両側縁部に設けたサイドプレート５１，５１の間に、第１，第２下金型エジェクタプレート５２，５３と下金型キャビティプレート６０とを順次配置したものである。前記下金型キャビティプレート６０では、図２０に示すように、その上面に形成された隣り合う一対の下型キャビティ６１，６１がランナー６２を介してポット６３（図５）に相互に連通している。また、前記下金型キャビティプレート６０は、その側面に一対の樹脂材料投入ブロック６６，６６を組み付けてある（図２０）。前記樹脂材料投入ブロック６６は、前記ポット６３に連通するスリット状の樹脂材料供給溝６４および樹脂材料投入口６５を備えている。
【００２２】
また、図５に示すように、前記下金型ダイセット２６と第１下金型エジェクタプレート５２との間には第３コイルバネ５４が配置されている。そして、前記下金型キャビティプレート６０の下面に固定された下金型サポートピン５５は、その下端部を第１，第２下金型エジェクタプレート５２，５３に挿通され、下金型ダイセット２６の上面に当接している。前記下金型サポートピン５５は、型締め圧力を受圧し、かつ、撓みを防止する円柱形状であり、前記下型キャビティ６１の周辺にバランス良く配置されている。さらに、下金型第２エジェクタプレート５３には下金型エジェクタピン５８および下金型リターンピン５７が取り付けられている。このため、下金型リターンピン５７が押し下げられると、第３コイルバネ５４が圧縮され、下金型エジェクタピン５８が一体に下降する。
【００２３】
そして、図２に示すように、前記メインベース１０の下方側に配置したプランジャ駆動装置７０を駆動してプランジャブロック７１を上下動させることにより、ロッド７２を介してプランジャブレード７３が上下動する。前記プランジャブレード７３は、図５に示すように、ポット６３内に供給された後述する板状樹脂材料１２１を圧縮して溶融するとともに、溶融した樹脂材料を、ランナー６２を介して下型キャビティ６１、および、上型キャビティ４１に充填する。
【００２４】
なお、第１，第２，第３コイルバネ３４，３６，５４のバネ力は、第２コイルバネ３６のバネ力が最も小さく、第３コイルバネ５４のバネ力が最も大きい。そして、第１，第２コイルバネ３４，３６の合計したバネ力よりも、第３コイルバネ５４のバネ力が大きくなるように設定されている。
【００２５】
基板供給装置８０は、図１および図２に示すように、複数枚の基板９０（図２２，２３参照）を上下に所定間隔を空けて積み重ねて収納した基板マガジン８１を、上下動可能な載置台８２に着脱可能に搭載したものである。また、前記基板供給装置８０は、前記基板マガジン８１から基板９０を１枚ずつ側方に押し出すための第１プッシャ８３を備えている。そして、前記第１プッシャ８３が前記基板マガジン８１から前記基板９０を１枚ずつ押し出す毎に、前記載置台８２が基板９０の１枚の厚さ寸法だけ上昇し、高さ調整を行う。
【００２６】
前記基板９０は、図２２，図２３に示すように、短冊状のリードフレームの表裏面に、４個１組で組み合わせた電子部品９１を４組ずつ、同一直線上にそれぞれ実装してある。そして、組み合わせた前記電子部品９１の間を仕切るように樹脂充填用スリット９２を形成してあるとともに、前記リードフレームの両側縁部に位置決め孔９３を設けてある。
【００２７】
基板搬送装置１００は、図１に示すように、基板マガジン８１から押し出された基板９０を載置可能な平面形状を有する枠体構造である。また、前記基板搬送装置１００は、図２０に示すように、基板９０の浮き上がりを規制するため、対向する長辺の内側面に設けた一対のガイド溝１０１，１０１に、基板９０の両側縁部をスライド嵌合する構造となっている。さらに、前記基板搬送装置１００は、対向する長辺に前記基板９０の脱落を防止するためのクランプブロック１０２を設けてある。前記クランプブロック１０２は、図１９に示すように、回動軸１０３を介して回動可能に支持されているとともに、付勢用コイルばね１０４を介して付勢されている。このため、前記クランプブロック１０２のクランプ爪１０５が基板９０の片側縁部に圧接可能となっている。そして、クランプ爪１０５の先端部分を上金型リターンピン３７が押圧することにより、基板９０をより一層強固に保持可能となっている。さらに、前記基板搬送装置１００は、その中央部分が上下に開口しており、前記下型キャビティプレート６０の上面中央部に嵌合するように形成されている一方、対向する短辺の上面中央部を切り欠くことにより、逃がし部１０６（図２０）をそれぞれ形成してある。
【００２８】
従って、前記基板マガジン８１から押し出された基板９０は、その先端部を第１ガイドユニット１１０の第１クランパー１１１に把持され、図示しない駆動装置の駆動によって引き出され、その両側縁部を前記基板搬送装置１００の一対のガイド溝１０１，１０１にそれぞれ嵌合する。その際、前記基板９０は、その両側縁部で前記クランプブロック１０２のクランプ爪１０５を押し上げつつ、スライド移動するので、その両側縁部が前記クランプ爪１０５に押圧されて抜け止めされる。そして、前記基板搬送装置１００は一対のアーム部１０７，１０７（図２０，２１）を介して往復移動可能および上下移動可能に支持されている。
すなわち、前記アーム部１０７はガイドレール１０８に沿ってスライド移動可能に支持されているとともに、前記ガイドレール１０８は複数本のサポートピン１０９ａで上下に往復移動可能に支持されている。このため、前記アーム部１０７は図示しない駆動装置で水平方向にスライド移動可能であるとともに、前記ガイドレール１０８は駆動装置１０９ｂで上下に往復移動可能である。
【００２９】
樹脂材料供給装置１２０は、図１および図３に示すように、複数枚の板状樹脂材料１２１を並べて収納した樹脂材料マガジン１２２と、前記樹脂材料マガジン１２２から前記板状樹脂材料１２１を１枚ずつ側方に押し出す第２プッシャ１２３と、からなる。そして、前記樹脂材料供給装置１２０と前記金型装置２０との間に樹脂材料搬送装置１３０を往復移動可能に配置してある。
【００３０】
前記樹脂材料搬送装置１３０は、図１に示すように、押し出された板状樹脂材料１２１を保持できる一対のスリット１３１を有するホルダー１３２と、前記ホルダー１３２を、樹脂材料投入ブロック６６に設けた樹脂材料投入口６５の上方まで搬送するＸＹテーブル１３３と、からなるものである
【００３１】
一方、成形品仮置き装置１４０は、一対のガイドレール１４１，１４１を並設したものである。このため、前記金型装置２０で樹脂封止された成形品９６の一端部を、後述する第２ガイドユニット１７０の第２クランパー１７１で把持し、前記基板搬送装置１００から引き出し、ついで、前記成形品９６を前記ガイドレール１４１，１４１間に仮置きできる。
なお、後述するように、前記第２クランパー１７１は一対の平行なガイドレール１７２，１７２に沿って往復移動可能に支持されている。
【００３２】
ディゲート装置１５０は、図４に示すように、メインベース１０に立設した一対の支柱１５１，１５１の上端部に固定バー１５２を架け渡すとともに、一対の前記支柱１５１，１５１に可動バー１５３を上下にスライド移動可能に架け渡してある。また、前記固定バー１５２に駆動装置１５４を設置する一方、前記可動バー１５３には、パンチ１５５を備えたパンチユニット１５６を設けてある。前記パンチユニット１５６の直下にはガイドポスト１５７ａおよび位置決めピン１５７ｂ（図２）を備えた受けダイ１５７を配置してある。そして、前記受けダイ１５７は、一対の駆動ピストン１５８，１５８で上下動可能に支持されている。なお、前記駆動ピストン１５８，１５８の間にはシュート１５９が配置されている。
【００３３】
成形品収納装置１６０は、図１および図２に示すように、ディゲート装置１５０の下流側に配置され、載置台１６１に載置された成形品マガジン１６２内に可動プレート１６３を上下動可能に配置してある。また、前記成形品マガジン１６２の上方開口部の両側に一対のアウトプットレール１６４が配置されている。前記アウトプットレール１６４は断面略Ｌ字形状であり、駆動装置１６５で開閉可能となっている。このため、後述する第２クランパー１７１が成形品９６の一端部を把持して前記アウトプットレール１６４，１６４間に位置決めする。ついで、前記第２クランパー１７１を開いて後退させた後、前記アウトプットレール１６４を駆動装置１６５で外側に開くことにより、成形品９６が前記可動プレート１６３上に１枚ずつ積み重ねられる。そして、成形品９６を１枚積み重ねる毎に、前記可動プレート１６３が成形品９６の厚さ寸法だけ下降し、高さ調整を行う。
【００３４】
第２ガイドユニット１７０は、図１に示すように、２本の平行なガイドレール１７２，１７２に沿って第２クランパー１７１を駆動装置１７３で往復移動可能に配置したものである。前記第２クランパー１７１は、図２に示すように、成形品９６の一端部を把持可能な上下一対の爪部で構成され、前記成形品９６を所定の位置まで引き出す作業を行う。
【００３５】
なお、本発明に係る樹脂封止装置は、図２および図３に示すように、クリーナー装置１８０を備えている。前記クリーナー装置１８０は、その装置本体１８１の上下面の前方側に図示しない駆動装置により、上下方向に移動可能な一対の回転ブラシ１８２，１８２を配置するとともに、その後方側にダクト１８３を接続してある。そして、前記クリーナー装置１８０は、開いた上，下金型チェス３０，５０の間に進出することにより、前記回転ブラシ１８２で樹脂屑等を掻き出しつつ、前記ダクト１８３で吸引，除去する。
【００３６】
次に、本発明に係る樹脂封止装置の動作について説明する。
まず、図１および図２に示すように、基板供給装置８０の基板マガジン８１内に収納した基板９０を第１プッシャ８３で押し出し、押し出された前記基板９０の一端部を第１ガイドユニット１１０の第１クランパー１１１で把持して引き出す。そして、前記基板９０の両側縁部を基板搬送装置１００のガイド溝１０１（図２０）に沿って嵌合し、クランプブロック１０２のクランプ爪１０５の付勢力に抗しつつ、スライドさせて所定の位置に引き入れる。このため、前記基板９０は前記クランプ爪１０５に押圧されているので、搬送時の振動等によって位置ずれを生じることはない。
【００３７】
そして、ガイドレール１０８（図２１）に沿って前記基板搬送装置１００をスライド移動させることにより、前記基板搬送装置１００に保持された基板９０を下金型キャビティプレート６０の上方に搬送して位置決めする（図６）。ついで、駆動装置１０９ｂ（図２１）を駆動して前記ガイドレール１０８を下降させることにより、前記基板搬送装置１００を下降させて下金型チェス５０の下金型リターンピン５７上に載置する（図７）。このとき、基板９０の表裏面に配置された４個１組の電子部品９１のうち、表裏面の第１組目および第３組目に配置された計１６個の電子部品９１が樹脂封止可能となる（図１）。
なお、前記基板搬送装置１００は、基板９０が所定の位置に位置決めされた後、樹脂封止が完了するまでの間、前記基板搬送装置１００は駆動装置１０９ｂが関与しない無負荷状態となり、上金型リターンピン３７と下金型リターンピン５７との動作に委ねられる。
【００３８】
一方、図１および図３に示すように、樹脂材料供給装置１２０は樹脂材料マガジン１２２に収納した板状樹脂材料１２１を第２プッシャ１２３で押し出し、ホルダー１３２のスリット１３１内に押し込む。そして、前記ホルダー１３２を、ＸＹテーブル１３３を介して搬送し、図８に示すように、樹脂材料投入ブロック６６の樹脂材料投入口６５の直上に前記ホルダー１３２を位置決めする。
【００３９】
ついで、図９に示すように、上金型チェス３０を下降させると、位置決めピン４２が基板９０の位置決め孔９３に挿入される。そして、上金型リターンピン３７が基板搬送装置１００に圧接し、上金型リターンピン３７と下金型リターンピン５７とで前記基板搬送装置１００を挟持しつつ、前記下金型リターンピン５７が押し下げられる。このため、バネ力の最も小さい第２コイルバネ３６が圧縮された後、第１コイルバネ３４が圧縮される。この結果、第１，第２上金型エジェクタプレート３２，３３が相対的に押し上げられ、上金型エジェクタピン３８が上昇し、その下端部が上型キャビティ４１の底面から僅かに突出した位置まで移動する（図１０）。さらに、上金型チェス３０を下降させると、下金型リターンピン５７が押し下げられ、第３コイルバネ５４が圧縮されるので、第１，第２下金型エジェクタプレート５２，５３が下降するとともに、下金型エジェクタピン５８が下降し、その上端部が下型キャビティ６１の底面から僅かに突出した位置まで移動する（図１１）。
なお、前記上金型リターンピン３７が基板搬送装置１００のクランプブロック１０２を押圧するので、基板９０がより一層強固に保持される。
【００４０】
そして、図１２に示すように、ホルダー１３２の底面に配置したシャッター１３４を引き出すとともに、第３プッシャ１３５でスリット１３１から板状樹脂材１２１を押し出し、樹脂材料投入口６５から樹脂材料供給溝６４内に投入する。そして、第４プッシャ６７で板状樹脂材１２１をポット６３内に押し込んだ後（図１２）、前記第４プッシャ６７の先端面とポット６３の内側面とが面一となるように第４プッシャ６７を少し引き戻す。さらに、プランジャ駆動装置７０を駆動してプランジャブレード７３を押し上げ、ポット６３内の板状樹脂材１２１を加熱・加圧して溶融させる。そして、溶融した樹脂材を、ランナー６２を介して下型キャビティ６１に充填するとともに、リードフレーム９０のリードの隙間（図示せず）を介して上型キャビティ４１に充填することにより、電子部品９１を樹脂封止する（図１３）。
なお、前述したように第４プッシャ６７を引き戻すのではなく、第４プッシャ６７と樹脂材料投入ブロック６６との間にストッパを設け、前記第４プッシャ６７の先端面とポット６３の内側面とが面一となるように設定してもよい。
【００４１】
樹脂材料搬送装置１３２を元の位置に復帰させるとともに、所定の型締め時間が経過した後、プランジャブレード７３を下降し、プランジャブレード７３の先端（上端）とポット６３内に位置する不要樹脂９５との張り付きを解消する。そして、前記プランジャブレード７３を再度上昇させ、ポット６３内に位置する不要樹脂９５を突き出すとともに、上金型チェス３０を上昇させる。このとき、第３コイルバネ５４のバネ力によって第１，第２下金型エジェクタプレート５２，５３が上方に付勢されている。このため、上金型リターンピン３７と下金型リターンピン５７とで基板搬送装置１００を挟持した状態を維持しつつ、下金型エジェクタピン５８が下型キャビティ６１内に押し出され、前記下型キャビティ６１内から成形部９４を突き出す（図１４）。
すなちわ、上金型リターンピン３７と下金型リターンピン５７とを同期させて下金型エジェクタピン５８を下型キャビティ６１内に押し出すとともに、基板搬送装置１００を上昇させる。この結果、成形部９４と基板９０とが同期して上昇することにより、成形品に損傷を与えることなく良好に離型することができる。
【００４２】
本実施形態では、上金型リターンピン３７と下金型リターンピン５７とが基板搬送装置１００を挟持し、特に、クランプブロック１０２を前記上金型リターンピン３７が押圧している。このため、成形部９４を上型キャビティ４１，下型キャビティ６１から突き出す際に、基板９０が基板搬送装置１００のガイド溝１０１から脱落することはない。
【００４３】
ついで、図１５に示すように、上金型チェス３０が上昇すると、第１コイルバネ３４のバネ力によって付勢されている第１，第２上金型エジェクタプレート３２，３３が相対的に下降する。このため、上金型リターンピン３７と下金型リターンピン５７とで基板搬送装置１００を挟持した状態を維持しつつ、上金型エジェクタピン３８が上型キャビティ４１内に押し出され、前記上型キャビティ４１内から成形部９４を突き出す。
【００４４】
本実施形態では、上金型リターンピン３７と下金型リターンピン５７とが基板搬送装置１００を挟持した状態を維持しつつ、上金型エジェクタピン３８が上型キャビティ４１内に押し出される。すなわち、上金型リターンピン３７と下金型リターンピン５７とを同期させて上金型エジェクタピン３８を上型キャビティ４１内に押し出す。このため、上金型チェス３０の上昇に合わせて上金型エジェクタピン３８を上型キャビティ４１内に押し出すとともに、基板搬送装置１００を上金型チェス３０から開離させる。このため、成形部９４と基板９０とが同期して上金型チェス３０から開離し、成形品９４に損傷を与えることなく、良好に離型することができる。
【００４５】
また、本実施形態では、上金型リターンピン３７と下金型リターンピン５７とが基板搬送装置１００を挟持し、特に、クランプブロック１０２を前記上金型リターンピン３７が押圧している。このため、成形部９４を下型キャビティ６１，上型キャビテイ４１から突き出す際に、基板９０が基板搬送装置１００のガイド溝１０１から脱落することはない。
【００４６】
そして、第２コイルばね３６のバネ力によって上金型リターンピン３７が下方に付勢されているため、更に上金型チェス３０が上昇すると、上金型リターンピン３７と下金型リターンピン５７とで基板搬送装置１００を挟持した状態を維持しつつ、上金型エジェクタピン３８が上昇する。この結果、基板９０が基板搬送装置１００に保持された状態で上金型エジェクタピン３８が上昇し、上金型エジェクタピン３８の先端と成形部９４との張り付きが解消される。更に、上金型チェス３０が上昇すると、図１６に示すように、上金型リターンピン３７が基板搬送装置１００から開離した後、位置決めピン４２がリードフレーム９０の位置決め孔９３から抜け出ることにより、基板搬送装置１００は下金型リターンピン５７だけで支持される。
【００４７】
本実施形態では、上金型リターンピン３７と下金型リターンピン５７とが基板搬送装置１００を挟持した状態を維持しつつ、上金型エジェクタピン３８が上昇する。すなわち、上金型リターンピン３７と、下金型リターンピン５７および基板搬送装置１００とを所定の時間差で上昇させることができる。このため、複雑な駆動装置や制御機構を別途用いることなく、成形品９４に損傷を与えることなく、良好に離型させることができる。
【００４８】
ついで、基板搬送装置１００のアーム部１０７（図２０，図２１）を取り付けたガイドレール１０８を、駆動装置１０９ｂを駆動して持ち上げる。これにより、図１７に示すように、基板９０が持ち上げられ、下金型エジェクタピン５８の先端と成形部９４との張り付きを解消できる。そして、ガイドレール１０８を介してアーム部１０７を後退させることにより、基板搬送装置１００を下金型キャビティプレート６０および上金型キャビティプレート４０の間から退出させる。さらに、図１８に示すように、上金型チェス３０と下金型チェス５０との間にクリーナー装置１８０を進出させ、回転ブラシ１８２を回転させながら往復移動させることにより、掻き出した樹脂屑等をダクト１８３で吸引，除去する。
【００４９】
一方、前記基板搬送装置１００を下金型キャビティプレート６０および上金型キャビティプレート４０の間から退出させた後、基板９０の先端部を第１ガイドユニット１１０の第１クランパー１１１で把持する。そして、基板９０に配置された電子部品９１のうち、第２組目および第４組目に配置された電子部品９１を樹脂封止できるように、１ピッチ前進させる。そして、前記基板搬送装置１００を上金型チェス３０と下金型チェス５０との間に、再度、進出させ、前述の図６と同様に位置決めする。以後、図６から図１７に図示した作業を繰り返すことにより、基板９０に設けた電子部品９１の全てを樹脂封止する。
【００５０】
本実施形態では、基板９０を１ピッチずつずらして基板９０の電子部品９１を樹脂封止する。このため、上，下金型キャビティプレート４０，６０の床面積を小さくでき、金型装置２０を小型化できるので、樹脂封止装置全体を小型化できる。
さらに、基板マガジン８１から基板搬送装置１００内に引き出す第１クランパー１１１を、２回目の樹脂封止を行うための位置決め手段に兼用しているので、基板のピッチ送り装置を別途設ける必要がなく、より一層小型化できるという利点がある。
【００５１】
基板９０に実装した電子部品９１の全てを樹脂封止し、上金型チェス３０と下金型チェス５０とを開いた後、図１７に示すように、基板搬送装置１００に保持された成形品９６の一端部を、第２ガイドユニット１７０の第２クランパー１７１で把持して引き出し、成形品仮置き装置１４０に載置する。そして、前記基板搬送装置１００を基板供給装置８０の横の元の位置に復帰させる。
【００５２】
前記仮置き装置１４０に載置された成形品９６は、図４に示すように、その一端部を第２クランパー１７１に把持されて引き出されて位置決めされると、駆動ピストン１５８が上昇し、受けダイ１５７の位置決めピン１５７ｂ（図２）が成形品９６の位置決め孔９３に嵌合して位置決めされる。そして、ディゲータ装置１５０の駆動装置１５４が可動バー１５３を下降させ、パンチユニット１５６に設けたガイド孔（図示せず）がガイドポスト１５７ａに嵌合する。そして、パンチ１５５が前記不要樹脂９５を打ち抜くことにより、不要樹脂９５がシュート１５９に落下する。以後、同様の動作を繰り返すことにより、図２２，図２３に示す成形品９６の不要樹脂９５の全てが除去される。なお、不要樹脂９５は１つずつ除去する場合に限らず、一工程で除去するようにしてもよい。
【００５３】
そして、図１，２に示すように、第２クランパー１７１が一対のアウトプットレール１６４に前記成形品９６を移送した後、第２クランパー１７１が前記成形品９６から離れる。ついで、駆動装置１６５を駆動して前記アウトプットレール１６４を開放すると、前記成形品９６が可動プレート１６３上に落下して積み重なる。以後、成形品マガジン１６２が満杯になるまで同様な作業を繰り返す。そして、前記成形品マガジン１６２が満杯になった場合には、前記成形品マガジン１６２を空の成形品マガジン１６２と交換し、樹脂封止作業を続ける。
【産業上の利用可能性】
【００５４】
本発明に係る樹脂封止装置は、前述の基板に限らず、他の基板にも適用できることは勿論である。例えば、片面だけに電子部品を実装した基板を樹脂封止してもよい。
【符号の説明】
【００５５】
１０：メインベース
２０：金型装置
３０：上金型チェス
３２，３３：第１，第２上金型エジェクタプレート
３４：第１コイルバネ
３５：上金型サポートピン
３６：第２コイルバネ
３７：上金型リターンピン
３８：上金型エジェクタピン
４０：上金型キャビティプレート
４１：上型キャビティ
５０：下金型チェス
５２，５３：第１，第２下金型エジェクタプレート
５４：第３コイルバネ
５５：下金型サポートピン
５７：下金型リターンピン
５８：下金型エジェクタピン
６０：下金型キャビティプレート
６１：下型キャビティ
６２：ランナー
６３：ポット
７０：プランジャ駆動装置
７１：プランジャブロック
７２：ロッド
７３：プランジャブレード
８０：基板供給装置
９０：基板
９１：電子部品
９２：樹脂充填用スリット
９３：位置決め孔
１００：基板搬送装置
１０１：ガイド溝
１０２：クランプブロック
１０３：回動軸
１０４：付勢用コイルばね
１０５：クランプ爪
１０７：アーム部
１０８：ガイドレール
１０９ａ：サポートピン
１０９ｂ：駆動装置
１１０：第１ガイドユニット
１１１：第１クランパー
１２０：樹脂材料供給装置
１２１：板状樹脂材料
１２２：樹脂材料マガジン
１２３：第２プッシャ
１３０：樹脂材料搬送装置
１３１：スリット
１３２：ホルダー
１４０：成形品仮置き装置
１４１：ガイドレール
１５０：ディゲータ装置
１５５：パンチ
１５６：パンチユニット
１５７ａ：ガイドポスト
１５７ｂ：位置決めピン
１６０：成形品収納装置
１６２：成形品マガジン
１６４：アウトプットレール
１７０：第２ガイドユニット
１７１：第２クランパー
１７２：ガイドユニット
１８０：クリーニング装置
１８２：回転ブラシ
１８３：ダクト
【図１】
2011018745.tif 000003
【図２】
2011018745.tif 000004
【図３】
2011018745.tif 000005
【図４】
2011018745.tif 000006
【図５】
2011018745.tif 000007
【図６】
2011018745.tif 000008
【図７】
2011018745.tif 000009
【図８】
2011018745.tif 000010
【図９】
2011018745.tif 000011
【図１０】
2011018745.tif 000012
【図１１】
2011018745.tif 000013
【図１２】
2011018745.tif 000014
【図１３】
2011018745.tif 000015
【図１４】
2011018745.tif 000016
【図１５】
2011018745.tif 000017
【図１６】
2011018745.tif 000018
【図１７】
2011018745.tif 000019
【図１８】
2011018745.tif 000020
【図１９】
2011018745.tif 000021
【図２０】
2011018745.tif 000022
【図２１】
2011018745.tif 000023
【図２２】
2011018745.tif 000024
【図２３】
2011018745.tif 000025